(57)【特許請求の範囲】
【請求項１】
縦方向の主鉄筋および横方向の主鉄筋より形成される二段の複鉄筋よりなる鉄筋コンクリート構造物の鉄筋構造を補強する補強部材の配筋方法であって、
鉄筋および鋼撚り線よりなる群から選ばれた材料によって構成された前記補強部材をレース編み状に折り曲げ加工し、
前記補強部材の折り曲げ部にフック状の緊結材を固定し、
前記二段の複鉄筋の間から、前記縦方向の主鉄筋および横方向の主鉄筋のいずれも跨がないように前記補強部材を挿通し、
前記フック状の緊結材を前記縦方向の主鉄筋および／または前記横方向の主鉄筋に取り付けることを特徴とする補強部材の配筋方法。
【発明の詳細な説明】
【技術分野】
【０００１】
本発明は、鉄筋コンクリート構造部材のうち、特に、面状の部材の耐力を向上させることができる補強部材の配筋方法に関するものである。
【背景技術】
【０００２】
落石の衝突、火薬やガス類の爆発、津波などの衝撃荷重を受ける面状の部材は、貫通、押し抜き剪断破壊や、面状の部材全体の破壊などによって、破壊することがある。このように、面状の部材が破壊すると、飛翔した面状の部材や飛散したコンクリート片によって、被害が拡大し、場合によっては、構造物の一部の崩壊や構造物全体の崩壊に繋がることがある。
【０００３】
そこで、数々の解決方法が検討され、たとえば、特開２０１１−８４９１８号公報（特許文献１）、特開２００５−２８２３１７号公報（特許文献２）、特開平２００１−６４９１８号公報（特許文献３）などは、面状の部材に加わる衝撃エネルギーを吸収することによって、面状の部材の耐力を向上させる方法を提案している。
【先行技術文献】
【特許文献】
【０００４】
【特許文献１】特開２０１１−８４９１８号公報
【特許文献２】特開２００５−２８２３１７号公報
【特許文献３】特開平２００１−６４９１８号公報
【発明の概要】
【発明が解決しようとする課題】
【０００５】
一般に、面状の部材の貫通、押し抜き剪断破壊あるいは全体曲げ破壊を低減させるため方法としては、繊維補強コンクリートを使用する方法や、コンクリートの表裏に鉄板や繊維シートを貼り付ける方法が考えられるが、これらの方法はコストアップの原因となり、好ましくない。
【０００６】
したがって、本発明は、簡便かつ安価な方法で、面状部材の破壊を防止することができ、その結果として、鉄筋コンクリート構造物にリダンダンシー（冗長性）やダクティリティ（延性）を付加させることができ、面状の部材の耐力を向上することができる補強部材の配筋方法を提供することを目的とするものである。
【課題を解決するための手段】
【０００７】
本発明のかかる目的は、縦方向の主鉄筋および横方向の主鉄筋より形成される二段の複鉄筋よりなる鉄筋コンクリート構造物の鉄筋構造を補強する補強部材の配筋方法であって、前記補強部材をレース編み状に折り曲げ加工し、前記補強部材の折り曲げ部にフック状の緊結材を固定し、前記二段の複鉄筋の間から、前記縦方向の主鉄筋および横方向の主鉄筋のいずれも跨がないように前記補強部材を挿通し、前記フック状の緊結材を前記縦方向の主鉄筋および／または前記横方向の主鉄筋に取り付けることを特徴とする補強部材の配筋方法によって達成される。
【０００８】
本発明において、補強部材は、その折り曲げ部が縦方向の主鉄筋および横方向の主鉄筋の外側を取り囲むようにして、コンクリートの鉄筋構造を補強している。
【０００９】
本発明において、補強部材は、クリップ状またはフック状の緊結材を用いて、縦方向の主鉄筋および横方向の主鉄筋に取り付けてもよい。
【００１０】
本発明において、補強部材は鉄筋、鋼撚り線および強化プラスチックよりなる群から選ばれた材料によって構成されている。
【００１１】
本発明において、補強部材はレース編み状に折り曲げ加工されている。
【００１２】
本発明において、補強部材は縦方向または横方向の主鉄筋にピッチＮ（Ｎは正の整数である。）の間隔で取り付けられ、上下方向に隣り合った横方向の主鉄筋への補強部材の取り付け位置が、Ｎ／２ずつオフセットされていることが好ましい。
【発明の効果】
【００１３】
本発明によれば、簡便かつ安価な方法で、面状の部材の破壊を防止することができ、その結果として、鉄筋コンクリート構造物にリダンダンシー（冗長性）やダクティリティ（延性）を付加させることができ、面状の部材の耐力を向上することができる補強部材の配筋方法を提供することが可能になる。
【００１４】
さらに、本発明にかかる面状の部材は、原子力発電所の建屋、道路床版、壁式橋脚、落石防護壁、防波堤、防衛施設、テロ対策用構造物などの壁、床、スラブなどに好ましく用いることができる。
【図面の簡単な説明】
【００１５】
【図１】図１は、本発明の好ましい実施態様にかかる補強部材が配筋された鉄筋構造の略斜視図である。
【図２】図２は、図１に示されたコンクリート鉄筋構造の部材の略側面図である。
【図３】図３は、従来のコンクリート鉄筋構造に、鉄筋構造の主要な面に垂直方向の外力が加わった状態を示すダイアグラムである。
【図４】図４は、本発明の好ましい実施態様にかかる補強鉄筋によって補強されたコンクリートの鉄筋構造の主要な面に垂直方向の外力が加わった状態を示すダイアグラムである。
【図５】図５は、本発明の別の実施態様にかかる補強部材の取り付け部を示す略側面図である。
【図６】図６は、本発明の他の実施態様にかかる補強部材の取り付け部を示す略側面図である。
【発明を実施するための形態】
【００１６】
図１は、本発明の好ましい実施態様にかかる補強部材が配筋されたコンクリートの鉄筋構造の鉄筋構造を示す略斜視図である。
【００１７】
本発明の好ましい実施態様においては、補強鉄筋５によって補強部材が構成され、図１に示されるように、コンクリートの鉄筋構造１は、縦方向の主鉄筋２と横方向の主鉄筋３と補強鉄筋５によって形成されている。
【００１８】
本実施態様においては、縦方向の主鉄筋２と横方向の主鉄筋３とが上下二段に格子状に配筋されている。
【００１９】
図１には図示されていないが、コンクリートの鉄筋構造１には、コンクリートが打ち込まれて、面状の部材が形成される。
【００２０】
図２は、図１に示されたコンクリートの鉄筋構造１の略側面図である。
【００２１】
図２に示されるように、補強鉄筋５はレース編み状に折り曲げ加工され、補強鉄筋５の折り曲げ部４が横方向の主鉄筋３に取り付けられるように構成されている。
【００２２】
図２に示されるように、横方向の主鉄筋３は上側に位置する縦方向の主鉄筋２と下側に位置するに縦方向の主鉄筋２に、ピッチＮで取り付けられている。
【００２３】
図２に示されるように、横方向に隣り合った縦方向の主鉄筋２に取り付けられた横方向の主鉄筋３の位置は、Ｎ／２ずつオフセットされている。
【００２４】
図３は、従来のコンクリートの鉄筋構造１に、その主要な面に垂直な方向の外力が加わった状態を示し、図４は、本発明の好ましい実施態様にかかる補強鉄筋５によって補強されたコンクリートの鉄筋構造１の主要な面に垂直な方向の外力が加わった状態を示している。
【００２５】
図３に示されるように、コンクリートの鉄筋構造１の主要な面に垂直な外力が加わると、鉄筋構造１は剪断破壊しやすいのに対し、本発明の好ましい実施態様にかかる補強鉄筋５によって補強されたコンクリートの鉄筋構造１は、図４に示されるように、レース編み状に折り曲げ加工された補強鉄筋５の折り曲げ部４が横方向の主鉄筋３に取り付けられているため、コンクリートの鉄筋構造１の主要な面に垂直な外力が加わっても、剪断破壊が生じることを効果的に防止することが可能になる。
【００２６】
また、本実施態様にかかる鉄筋構造１は、剪断力に対する耐性を有しているだけでなく、曲げに対しても強い耐力を有している。
【００２７】
さらに、本実施態様にかかるコンクリートの鉄筋構造１においては、コンクリートと、縦方向の主鉄筋２、横方向の主鉄筋３および補強鉄筋５との接触面積がきわめて大きくなり、鉄筋コンクリートによって形成された構造物の靭性を大幅に向上させることが可能なる。
【００２８】
図５は、本発明の別の実施態様にかかる補強部材の略側面図であり、縦方向の主鉄筋２および横方向の主鉄筋３によって構成されたコンクリートの鉄筋構造１が補強鉄筋５によって補強された状態を示している。
【００２９】
図１ないし図３に示された鉄筋構造１は、レース編み状に折り曲げられた補強鉄筋５が縦方向の主鉄筋２または横方向の主鉄筋３に取り付けられているが、本実施態様においては、図５に示されるように、本実施態様においては、補強鉄筋５がクリップ６によって縦方向の主鉄筋２および横方向の主鉄筋３に取り付けられている。
【００３０】
本実施態様にかかるコンクリートの鉄筋構造１も、剪断力に対する耐性を有しているだけでなく、曲げに対しても強い耐力を有している。
【００３１】
図６は、本発明の他の実施態様にかかる補強部材の略側面図であり、縦方向の主鉄筋２および横方向の主鉄筋３によって構成された鉄筋構造１が、補強鉄筋５によって補強された状態を示している。
【００３２】
図１ないし図３に示された鉄筋構造１は、レース編み状に折り曲げられた補強鉄筋５が縦方向の主鉄筋２または横方向の主鉄筋３に取り付けられているが、本実施態様においては、図６に示されるように、補強鉄筋５がフック７によって縦方向の主鉄筋２および横方向の主鉄筋３に取り付けられている。
【００３３】
本実施態様にかかる鉄筋構造１もまた、剪断力に対する耐性を有しているだけでなく、曲げに対しても強い耐力を有している。
【００３４】
本発明は、以上の実施態様に限定されることなく、特許請求の範囲に記載された発明の範囲内で種々の変更が可能であり、それらも本発明の範囲内に包含されるものであることはいうまでもない。
【００３５】
たとえば、前記実施態様においては、補強部材は鉄筋によって構成されているが、補強部材が鉄筋によって構成されていることは必ずしも必要でなく、補強部材は鋼撚り線や強化プラスチックによって形成されていてもよい。
【符号の説明】
【００３６】
１  コンクリートの鉄筋構造
２  縦方向の主鉄筋
３  横方向の主鉄筋
４  補強鉄筋の折り曲げ部
５  補強鉄筋
６  クリップ
７  フック
【図１】
0005955067.tif 000002
【図２】
0005955067.tif 000003
【図３】
0005955067.tif 000004
【図４】
0005955067.tif 000005
【図５】
0005955067.tif 000006
【図６】
0005955067.tif 000007